(57)【要約】【課題】可動導電体が第一固定導電体および第二固定導電体と接触しており、前記第一固定導電体と第二固定導電体とが電気的に接続された状態を保ったままで、前記固定接点と前記可動接点との溶着の有無を検知することが可能なリレー溶着検知装置を提供する。【解決手段】リレー溶着検知装置１０においては、リレー構造１１と検出機構と判断部とを備え、前記制御部は可動接点１４を接続位置と非接続位置との間で動かすことが可能であり、前記接続位置と非接続位置との間には摺動領域が存在しており、前記制御部が可動接点１４を前記摺動領域内で動かすように制御する場合で、前記検出機構が可動接点１４の動きがあることを検出するとき、前記判断部は固定接点１３と可動接点１４とが溶着していないと判断し、前記検出機構が可動接点１４の動きがないことを検出するとき、前記判断部は固定接点１３と可動接点１４とが溶着していると判断する。【選択図】図３
2012160407.tif 000002
【特許請求の範囲】
【請求項１】
第一固定導電体、および前記第一固定導電体とは電気的に非接続の第二固定導電体を含む固定接点と、可動導電体を含み、前記固定接点に接触した状態ですり動く可動接点と、前記可動接点の動きを制御する制御部と、を有するリレー構造と、
前記可動接点の動きを検出する検出機構と、
前記固定接点と可動接点との溶着の有無を判断する判断部と、を備え、
前記制御部は、前記可動接点を、
前記可動接点の可動導電体が、前記固定接点の第一固定導電体および第二固定導電体と接触した状態になる接続位置と、
前記可動接点の可動導電体が、前記固定接点の第一固定導電体および／または第二固定導電体と非接触の状態になる非接続位置と、の間で動かすことが可能であり、
前記接続位置と非接続位置との間には、前記制御部が前記可動接点を動かす際に、前記可動接点の可動導電体が、前記固定接点の第一固定導電体と第二固定導電体とに接触した状態ですり動く摺動領域が存在しており、
前記制御部が前記可動接点を前記摺動領域内で動かすように制御する場合で、前記検出機構が前記可動接点の動きがあることを検出するとき、前記判断部は、前記固定接点と可動接点とが溶着していないと判断し、
前記制御部が前記可動接点を前記摺動領域内で動かすように制御する場合で、前記検出機構が前記可動接点の動きがないことを検出するとき、前記判断部は、前記固定接点と可動接点とが溶着していると判断するリレー溶着検知装置。
【発明の詳細な説明】
【技術分野】
【０００１】
本発明は、リレー構造の固定接点と可動接点とが溶着しているか否かを検知するリレー溶着検知装置に関する。
【背景技術】
【０００２】
従来、リレー構造の技術は公知となっている（例えば、特許文献１）。
【０００３】
図８（ａ）および図８（ｂ）に示すように、従来のリレー構造１００は、第一固定導電体１１１、および第一固定導電体１１１とは電気的に非接続の第二固定導電体１１２を含む固定接点１１０と、可動導電体１２１を含む可動接点１２０と、を有していた。
可動導電体１２１は、第一固定導電体１１１および第二固定導電体１１２に接触可能に構成されており、可動導電体１２１が第一固定導電体１１１および第二固定導電体１１２と接触することで、第一固定導電体１１１と第二固定導電体１１２とが可動導電体１２１により電気的に接続されることとなっていた。
【０００４】
従来のリレー構造１００においては、可動接点１２０は、固定接点１１０との接触面に対して垂直方向（図８（ａ）の矢印Ｄ方向）に移動可能に構成されていた。これにより、図８（ａ）に示すように、可動導電体１２１が第一固定導電体１１１と第二固定導電体１１２に接触している状態から、固定接点１１０と可動接点１２０との溶着の有無を確認するために可動接点１２０を動かした場合、図８（ｂ）に示すように、固定導電体１１１・１１２と可動導電体１２１とが離れてしまっていた。したがって、従来のリレー構造１００を用いては、ＯＮ状態、すなわち図８（ａ）に示すように、可動導電体１２１が第一固定導電体１１１および第二固定導電体１１２と接触しており、第一固定導電体１１１と第二固定導電体１１２とが電気的に接続された状態を保ったままで、固定接点１１０と可動接点１２０との溶着の有無を検知することができなかった。
【先行技術文献】
【特許文献】
【０００５】
【特許文献１】特開平４−８７１１６号公報
【発明の概要】
【発明が解決しようとする課題】
【０００６】
本発明は、可動導電体が第一固定導電体および第二固定導電体と接触しており、前記第一固定導電体と第二固定導電体とが電気的に接続された状態を保ったままで、前記固定接点と前記可動接点との溶着の有無を検知することが可能なリレー溶着検知装置を提供する。
【課題を解決するための手段】
【０００７】
請求項１に記載のリレー溶着検知装置は、
第一固定導電体、および前記第一固定導電体とは電気的に非接続の第二固定導電体を含む固定接点と、可動導電体を含み、前記固定接点に接触した状態ですり動く可動接点と、前記可動接点の動きを制御する制御部と、を有するリレー構造と、
前記可動接点の動きを検出する検出機構と、
前記固定接点と可動接点との溶着の有無を判断する判断部と、を備え、
前記制御部は、前記可動接点を、
前記可動接点の可動導電体が、前記固定接点の第一固定導電体および第二固定導電体と接触した状態になる接続位置と、
前記可動接点の可動導電体が、前記固定接点の第一固定導電体および／または第二固定導電体と非接触の状態になる非接続位置と、の間で動かすことが可能であり、
前記接続位置と非接続位置との間には、前記制御部が前記可動接点を動かす際に、前記可動接点の可動導電体が、前記固定接点の第一固定導電体と第二固定導電体とに接触した状態ですり動く摺動領域が存在しており、
前記制御部が前記可動接点を前記摺動領域内で動かすように制御する場合で、前記検出機構が前記可動接点の動きがあることを検出するとき、前記判断部は、前記固定接点と可動接点とが溶着していないと判断し、
前記制御部が前記可動接点を前記摺動領域内で動かすように制御する場合で、前記検出機構が前記可動接点の動きがないことを検出するとき、前記判断部は、前記固定接点と可動接点とが溶着していると判断する。
【発明の効果】
【０００８】
本発明によれば、可動導電体が第一固定導電体および第二固定導電体と接触しており、前記第一固定導電体と第二固定導電体とが電気的に接続された状態を保ったままで、前記固定接点と前記可動接点との溶着の有無を検知することが可能である。
【図面の簡単な説明】
【０００９】
【図１】本発明に係るリレー溶着検知装置の実施の一形態であるリレー溶着検知装置の概略構成図である。
【図２】（ａ）は固定接点を固定接触面側から見た図を示し、（ｂ）は図２（ａ）のＸ１−Ｘ１断面図を示し、（ｃ）は可動接点を可動接触面側から見た図を示し、（ｄ）は図２（ｃ）のＸ２−Ｘ２断面図を示す図である。
【図３】（ａ）は図１を矢印Ｙ１方向から見た図であり、可動接点が接続位置にある状態を示し、（ｂ）は可動接点が非接続位置にある状態を示し、（ｃ）は可動接点が摺動領域内にある状態を示す図である。
【図４】（ａ）および（ｂ）は検出機構の一例を示す図である。
【図５】リレー構造の別実施形態を示す斜視図である。
【図６】図５に示すリレー構造の別実施形態に関して、（ａ）は固定接点を固定接触面側から見た図を示し、（ｂ）は図６（ａ）のＸ３−Ｘ３断面図を示し、（ｃ）は可動接点を可動接触面側から見た図を示し、（ｄ）は図６（ｃ）のＸ４−Ｘ４断面図を示す図である。
【図７】（ａ）は図５を矢印Ｙ２方向から見た図であり、可動接点が接続位置にある状態を示し、（ｂ）は可動接点が非接続位置にある状態を示し、（ｃ）は可動接点が摺動領域内にある状態を示す図である。
【図８】（ａ）および（ｂ）は従来のリレー構造を示す図である。
【発明を実施するための形態】
【００１０】
以下では、本発明に係るリレー溶着検知装置の実施の一形態であるリレー溶着検知装置１０について、図面を参照して説明する。
【００１１】
リレー溶着検知装置１０は、リレー構造（機械式リレー）１１の固定接点１３と可動接点１４とが溶着しているか否かを検知するための装置である。
リレー溶着検知装置１０は、リレー構造１１と、検出機構１２と、判断部（不図示）と、を備えている。
【００１２】
図１に示すように、リレー構造１１は、固定接点１３と、可動接点１４と、制御部（不図示）と、を有している。
【００１３】
図１、図２（ａ）および図２（ｂ）に示すように、固定接点１３は、固定絶縁体１５と、第一固定導電体１６と、第二固定導電体１７と、を含んでいる。
【００１４】
固定絶縁体１５は、絶縁性を有する樹脂等で構成されている。固定絶縁体１５は、円柱形状を有しており、その上端部に平坦な円形状の固定接触面１５ａを有している。
第一固定導電体１６と第二固定導電体１７とは、導電性に優れた金属部材で構成されている。第一固定導電体１６と第二固定導電体１７とは、円弧形状を有している。第一固定導電体１６と第二固定導電体１７とは、固定絶縁体１５に埋め込まれており、さらに互いに間隔を空けて配置されている。これにより、第一固定導電体１６と第二固定導電体１７とは、電気的に非接続に構成されている。固定絶縁体１５の固定接触面１５ａからは、第一固定導電体１６の上端面１６ａと第二固定導電体１７の上端面１７ａとが露出している。第一固定導電体１６の上端面１６ａと第二固定導電体１７の上端面１７ａとは、固定接触面１５ａの縁部に沿った円弧形状を有しており、互いに同じ大きさに構成されている。第一固定導電体１６の上端面１６ａと第二固定導電体１７の上端面１７ａとは、固定接触面１５ａの径方向に互いに間隔を空けた状態で、固定接触面１５ａの縁部にそれぞれ配置されている。
第一固定導電体１６には第一端子１が接続されており、第二固定導電体１７には第二端子２が接続されている。
【００１５】
図１、図２（ｂ）および図２（ｃ）に示すように、可動接点１４は、可動絶縁体１８と、可動導電体１９と、を含んでいる。
【００１６】
可動絶縁体１８は、絶縁性を有する樹脂等で構成されている。可動絶縁体１８は、円柱形状を有しており、その下端部に平坦な円形状の可動接触面１８ａを有している。可動接触面１８ａの寸法は、固定絶縁体１５の固定接触面１５ａの寸法と同じ大きさに構成されている。
可動導電体１９は、導電性に優れた金属部材で構成されている。可動導電体１９は、第一可動導電体２０と、第二可動導電体２１と、導電パス２２と、を有している。
第一可動導電体２０と第二可動導電体２１とは、円弧形状を有している。導電パス２２は、門形状を有しており、導電パス２２の一端には第一可動導電体２０が固定されており、導電パス２２の他端には第二可動導電体２１が固定されている。第一可動導電体２０と第二可動導電体２１とは導電パス２２により電気的に接続されている。第一可動導電体２０と、第二可動導電体２１と、導電パス２２とは、可動絶縁体１８に埋め込まれている。可動絶縁体１８の可動接触面１８ａからは、第一可動導電体２０の下端面２０ａと第二可動導電体２１の下端面２１ａとが露出している。第一可動導電体２０の下端面２０ａと第二可動導電体２１の下端面２１ａとは、第一・第二固定導電体１６・１７の上端面１６ａ・１７ａと同じ寸法に構成されている。第一可動導電体２０の下端面２０ａと第二可動導電体２１の下端面２１ａとは、可動接触面１８ａの径方向に互いに間隔を空けた状態で、可動接触面１８ａの縁部にそれぞれ配置されている。
【００１７】
図１に示すように、可動接点１４は固定接点１３上に載置されており、可動接触面１８ａと固定接触面１５ａとが接触している。また、可動接点１４と固定接点１３は、可動接触面１８ａの中心と固定接触面１５ａの中心とが対向するように配置されている。また、可動接点１４は、固定接触面１５ａに対して水平に移動可能、詳細には矢印Ａ方向に回転可能に構成されており、固定接触面１５ａに接触した状態ですり動くように構成されている。
リレー構造１１は、可動接点１４の固定接点１３に対する回転位置により、可動導電体１９が第一固定導電体１６および第二固定導電体１７と接触している状態と接触していない状態とを切り換え可能に構成されている。
【００１８】
前記制御部は、可動接点１４の動きを制御するための装置であり、可動接点１４に接続されている。
前記制御部は、可動接点１４を矢印Ａ方向に回転することが可能であり、可動接点１４を、接続位置と、非接続位置との間で動かすことが可能である。
【００１９】
すなわち、図１および図３（ａ）に示すように、前記接続位置は、可動接点１４の可動導電体１９が、固定接点１３の第一固定導電体１６と第二固定導電体１７とに接触した状態になる可動接点１４の位置である。詳細には、前記接続位置は、矢印Ａ方向の位置に関して、第一可動導電体２０の下端面２０ａの位置と、第一固定導電体１６の上端面１６ａの位置とが一致し、かつ、第二可動導電体２１の下端面２１ａの位置と、第二固定導電体１７の上端面１７ａの位置とが一致しており、第一可動導電体２０の下端面２０ａが第一固定導電体１６の上端面１６ａに接触し、かつ、第二可動導電体２１の下端面２１ａが第二固定導電体１７の上端面１７ａに接触した状態になる可動接点１４の位置である。
可動接点１４が前記接続位置にあるとき、可動導電体１９が第一固定導電体１６および第二固定導電体１７と接触しており、第一固定導電体１６（第一端子１）と第二固定導電体１７（第二端子２）とが電気的に接続された状態になる。
【００２０】
また、図３（ｂ）に示すように、前記非接続位置は、可動接点１４の可動導電体１９が、固定接点１３の第一固定導電体１６および第二固定導電体１７と非接触の状態になる可動接点１４の位置である。詳細には、前記非接続位置は、可動接点１４が前記接続位置から９０°回転して、第一可動導電体２０の下端面２０ａおよび第二可動導電体２１の下端面２１ａが、第一固定導電体１６の上端面１６ａおよび第二固定導電体１７の上端面１７ａと非接触の状態になる可動接点１４の位置である。
可動接点１４が前記非接続位置にあるとき、可動導電体１９が第一固定導電体１６および第二固定導電体１７と非接触の状態になり、第一固定導電体１６（第一端子１）と第二固定導電体１７（第二端子２）とが電気的に非接続の状態になる。
【００２１】
図３（ｃ）に示すように、前記接続位置と非接続位置との間には、前記制御部が可動接点１４を動かす（回転する）際に、可動接点１４の可動導電体１９が固定接点１３の第一固定導電体１６と第二固定導電体１７とに接触した状態ですり動く摺動領域が存在している。詳細には、前記接続位置と非接続位置との間には、前記制御部が可動接点１４を矢印Ａ方向に回転した際に、第一可動導電体２０の下端面２０ａが第一固定導電体１６の上端面１６ａに接触した状態ですり動くとともに、第二可動導電体２１の下端面２１ａが第二固定導電体１７の上端面１７ａに接触した状態ですり動く摺動領域が存在している。これは、リレー構造１１においては、可動接点１４が固定接触面１５ａに対して水平に動く構造を有しており、可動接点１４が固定接点１３に接触した状態ですり動く構造を有しているからである。
可動接点１４が前記摺動領域内にあるとき、可動導電体１９が第一固定導電体１６および第二固定導電体１７と接触しており、第一固定導電体１６（第一端子１）と第二固定導電体１７（第二端子２）とが電気的に接続された状態になる。
【００２２】
検出機構１２は、可動接点１４の動きを検出するための機構である。
検出機構１２に関しては、例えば位置検出センサを利用して可動接点１４の動きを検出するように構成してもよい。
図４（ａ）に示すように、検出機構１２は、例えば、永久磁石２３と、永久磁石２３の磁界を計測する磁気センサ２４と、で構成されている。永久磁石２３は、可動接点１４に固定されている。また、磁気センサ２４は、永久磁石２３の磁界を計測可能な位置に固定配置されている。磁気センサ２４の計測値は、可動接点１４が動く（矢印Ａ方向に回転する）ときに変化する。これにより、磁気センサ２４により永久磁石２３の磁界を計測することで可動接点１４の動きを検出することが可能となる。
【００２３】
なお、図４（ｂ）に示すように、検出機構１２に関しては、発光体２５と、発光体２５からの光量を計測する光センサ２６と、で構成してもよい。発光体２５は、可動接点１４に固定されている。また、光センサ２６は、発光体２５からの光量を計測可能な位置に固定配置されている。光センサ２６の計測値は、可動接点１４が動く（矢印Ａ方向に回転する）ときに変化する。これにより、光センサ２６により発光体２５からの光量を計測することで可動接点１４の動きの有無を検出することが可能となる。
【００２４】
また、検出機構１２に関しては、圧電センサなどの様々なセンサで構成してもよい。
【００２５】
また、検出機構１２に関しては、リレー構造１１の抵抗変化を利用して可動接点１４の動きを検出するように構成してもよい。
リレー構造１１の抵抗に関しては、可動接点１４が前記接続位置にあるときは（図１および図３（ａ）参照）、第一可動導電体２０の下端面２０ａの全面が第一固定導電体１６の上端面１６ａの全面に接触しているとともに、第二可動導電体２１の下端面２１ａの全面が第二固定導電体１７の上端面１７ａの全面に接触しており、端面１６ａ・１７ａ・２０ａ・２１ａ同士の接触面積が大きくなるので、端面１６ａ・２０ａ間および端面１７ａ・２１ａ間の抵抗が小さくなる。
これに対し、可動接点１４が前記摺動領域内にある場合で、前記接続位置からずれた位置にあって（図３（ｃ）参照）、第一可動導電体２０の下端面２０ａの一部が第一固定導電体１６の上端面１６ａの一部に接触しているとともに、第二可動導電体２１の下端面２１ａの一部が第二固定導電体１７の上端面１７ａの一部に接触しているときには、端面１６ａ・１７ａ・２０ａ・２１ａ同士の接触面積が小さくなるので、端面１６ａ・２０ａ間および端面１７ａ・２１ａ間の抵抗が大きくなる。これにより、検出機構１２は、かかる抵抗の違いを検知することで、可動接点１４の動きの有無を検出することが可能となる。
【００２６】
前記判断部は、固定接点１３と可動接点１４との溶着の有無を判断するための装置であり、検出機構１２と前記制御部とに接続されている。
【００２７】
前記判断部は、前記制御部が可動接点１４を前記摺動領域内で動かすように制御する場合で、検出機構１２が可動接点１４の動きがあることを検出するとき、固定接点１３と可動接点１４とが溶着していないと判断する。
また、前記判断部は、前記制御部が可動接点１４を前記摺動領域内で動かすように制御する場合で、検出機構１２が可動接点１４の動きがないことを検出するとき、固定接点１３と可動接点１４とが溶着していると判断する。
【００２８】
以上のように構成することで、リレー溶着検知装置１０は、ＯＮ状態、すなわち可動導電体１９が第一固定導電体１６および第二固定導電体１７と接触しており、第一固定導電体１６と第二固定導電体１７とが電気的に接続された状態を保ったままで、固定接点１３と可動接点１４との溶着の有無（接点溶着や摺動部固着といった故障の有無）を検知することが可能となる。
【００２９】
以下では、リレー構造１１の別実施形態であるリレー構造２７について説明する。
なお、リレー構造２７について、リレー構造１１と同様の部材に対しては同一符号を付し、詳細な説明およびそれに付随する効果等の記載は省略する。
【００３０】
図５に示すように、リレー構造２７は、固定接点２８と、可動接点２９と、制御部（不図示）と、を有している。
【００３１】
図５、図６（ａ）および図６（ｂ）に示すように、固定接点２８は、固定絶縁体３０と、第一固定導電体３１と、第二固定導電体３２と、を含んでいる。
【００３２】
固定絶縁体３０は、絶縁性を有する樹脂等で構成されている。固定絶縁体３０は、四角柱形状を有しており、その上端部に平坦な四角形状の固定接触面３０ａを有している。
第一固定導電体３１と第二固定導電体３２とは、導電性に優れた金属部材で構成されている。第一固定導電体３１と第二固定導電体３２とは、四角柱形状を有している。第一固定導電体３１と第二固定導電体３２とは、固定絶縁体３０に埋め込まれており、さらに互いに間隔を空けて配置されている。これにより、第一固定導電体３１と第二固定導電体３２とは、電気的に非接続に構成されている。固定絶縁体３０の固定接触面３０ａからは、第一固定導電体３１の上端面３１ａと第二固定導電体３２の上端面３２ａとが露出している。第一固定導電体３１の上端面３１ａと第二固定導電体３２の上端面３２ａとは、四角形状を有しており、互いに同じ寸法に構成されている。第一固定導電体３１の上端面３１ａと第二固定導電体３２の上端面３２ａとは、横方向（矢印Ｂ方向）に互いに間隔を空けた状態で、固定接触面３０ａの縁部にそれぞれ配置されている。
第一固定導電体３１には第一端子１が接続されており、第二固定導電体３２には第二端子２が接続されている。
【００３３】
図５、図６（ｃ）および図６（ｄ）に示すように、可動接点２９は、可動絶縁体３３と、可動導電体３４と、を含んでいる。
【００３４】
可動絶縁体３３は、絶縁性を有する樹脂等で構成されている。可動絶縁体３３は、四角柱形状を有しており、その下端部に平坦な四角形状の可動接触面３３ａを有している。可動接触面３３ａの寸法は、横方向（矢印Ｂ方向）の寸法が固定接触面３０ａの寸法と同じ大きさに構成されており、縦方向（矢印Ｃ方向）の寸法が固定接触面３０ａの寸法よりも小さく構成されている。
可動導電体３４は、導電性に優れた金属部材で構成されている。可動導電体３４は、第一可動導電体３５と、第二可動導電体３６と、導電パス３７と、を有している。
第一可動導電体３５と第二可動導電体３６とは、四角柱形状を有している。導電パス３７は、門形状を有しており、導電パス３７の一端には第一可動導電体３５が固定されており、導電パス３７の他端には第二可動導電体３６が固定されている。第一可動導電体３５と第二可動導電体３６とは導電パス３７により電気的に接続されている。第一可動導電体３５と、第二可動導電体３６と、導電パス３７とは、可動絶縁体３３に埋め込まれている。可動絶縁体３３の可動接触面３３ａからは第一可動導電体３５の下端面３５ａと第二可動導電体３６の下端面３６ａとが露出している。第一可動導電体３５の下端面３５ａと第二可動導電体３６の下端面３６ａとは、第一・第二固定導電体３１・３２の上端面３１ａ・３２ａよりも僅かに小さい寸法の四角形状に構成されている。第一可動導電体３５の下端面３５ａと第二可動導電体３６の下端面３６ａとは、矢印Ｂ方向に互いに間隔を空けた状態で、可動接触面３３ａの端部にそれぞれ配置されている。
【００３５】
図５に示すように、可動接点２９は、固定接点２８上に載置されており、可動接触面３３ａと固定接触面３０ａとが接触している。また、可動接点２９と固定接点２８は、矢印Ｂ方向の位置に関して、可動接触面３３ａの位置と固定接触面３０ａの位置とが一致するように配置されている。また、可動接点２９は、固定接触面３０ａに対して水平に移動可能、詳細には矢印Ｃ方向に移動可能に構成されており、固定接触面３０ａに接触した状態ですり動くように構成されている。
リレー構造２７は、可動接点２９の固定接点２８に対する移動位置により、可動導電体３４が第一固定導電体３１および第二固定導電体３２と接触している状態と接触していない状態とを切り換え可能に構成されている。
【００３６】
前記制御部は、可動接点２９の動きを制御するための装置であり、可動接点２９に接続されている。
前記制御部は、可動接点２９を矢印Ｃ方向に動かすことが可能であり、可動接点２９を、接続位置と、非接続位置との間で動かすことが可能である。
【００３７】
すなわち、図５および図７（ａ）に示すように、前記接続位置は、可動接点２９の可動導電体３４が、固定接点２８の第一固定導電体３１および第二固定導電体３２とに接触した状態になる可動接点２９の位置である。詳細には、前記接続位置は、矢印Ｃ方向の位置に関して、可動接点２９の下端面３５ａ・３６ａの位置と、固定接点２８の上端面３１ａ・３２ａの位置とが一致しており、第一可動導電体３５の下端面３５ａが第一固定導電体３１の上端面３１ａに接触し、かつ、第二可動導電体３６の下端面３６ａが第二固定導電体３２の上端面３２ａに接触した状態になる可動接点２９の位置である。
可動接点２９が前記接続位置にあるとき、可動導電体３４が第一固定導電体３１および第二固定導電体３２と接触しており、第一固定導電体３１（第一端子１）と第二固定導電体３２（第二端子２）とが電気的に接続された状態になる。
【００３８】
また、図７（ｂ）に示すように、前記非接続位置は、可動接点２９の可動導電体３４が、固定接点２８の第一固定導電体３１および第二固定導電体３２と非接触の状態になる可動接点２９の位置である。詳細には、前記非接続位置は、矢印Ｃ方向の位置に関して、可動接点２９の下端面３５ａ・３６ａの位置と、固定接点２８の上端面３１ａ・３２ａの位置とがずれており、第一可動導電体３５の下端面３５ａおよび第二可動導電体３６の下端面３６ａが、第一固定導電体３１の上端面３１ａおよび第二固定導電体３２の上端面３２ａと非接触の状態になる可動接点２９の位置である。
可動接点２９が前記非接続位置にあるとき、可動導電体３４が第一固定導電体３１および第二固定導電体３２と非接触の状態になり、固定接点２８の第一固定導電体３１（第一端子１）と第二固定導電体３２（第二端子２）とが電気的に非接続の状態になる。
【００３９】
図７（ｃ）に示すように、前記接続位置と非接続位置との間には、前記制御部が可動接点２９を動かす際に、可動接点２９の可動導電体３４が固定接点２８の第一固定導電体３１と第二固定導電体３２とに接触した状態ですり動く摺動領域が存在している。詳細には、前記接続位置と非接続位置との間には、前記制御部が可動接点２９を矢印Ｃ方向に動かす際に、第一可動導電体３５の下端面３５ａが第一固定導電体３１の上端面３１ａに接触した状態ですり動くとともに、第二可動導電体３６の下端面３６ａが第二固定導電体３２の上端面３２ａに接触した状態ですり動く摺動領域が存在している。これは、リレー構造２７においては、可動接点２９が固定接触面３０ａに対して水平に動く構造を有しており、可動接点２９が固定接点２８に接触した状態ですり動く構造を有しているからである。
可動接点２９が前記摺動領域内にあるとき、可動導電体３４が第一固定導電体３１および第二固定導電体３２と接触しており、第一固定導電体３１（第一端子１）と第二固定導電体３２（第二端子２）とが電気的に接続された状態になる。
【００４０】
検出機構１２は、可動接点２９の動きを検出するための機構である。検出機構１２は、上記した可動接点１４の動きを検出するときのものと同様の構成を有するので、検出機構１２についての説明は省略する。
【００４１】
前記判断部は、固定接点２８と可動接点２９との溶着の有無を判断するための装置であり、検出機構１２と前記制御部とに接続されている。
【００４２】
前記判断部は、前記制御部が可動接点２９を前記摺動領域内で動かすように制御する場合で、検出機構１２が可動接点２９の動きがあることを検出するとき、固定接点２８と可動接点２９とが溶着していないと判断する。
また、前記判断部は、前記制御部が可動接点２９を前記摺動領域内で動かすように制御する場合で、検出機構１２が可動接点２９の動きがないことを検出するとき、固定接点２８と可動接点２９とが溶着していると判断する。
【００４３】
以上のように構成することで、リレー溶着検知装置１０は、ＯＮ状態、すなわち可動導電体３４が第一固定導電体３１および第二固定導電体３２と接触しており、第一固定導電体３１と第二固定導電体３２とが電気的に接続された状態を保ったままで、固定接点２８と可動接点２９との溶着の有無（接点溶着や摺動部固着といった故障の有無）を検知することが可能となる。
【符号の説明】
【００４４】
１０        リレー溶着検知装置
１１・２７  リレー構造
１２        検出機構
１３・２８  固定接点
１４・２９  可動接点
１６・３１  第一固定導電体
１７・３２  第二固定導電体
１９・３４  可動導電体
【図１】
2012160407.tif 000003
【図２】
2012160407.tif 000004
【図３】
2012160407.tif 000005
【図４】
2012160407.tif 000006
【図５】
2012160407.tif 000007
【図６】
2012160407.tif 000008
【図７】
2012160407.tif 000009
【図８】
2012160407.tif 000010